(57)【要約】【課題】  粘着力の高い地質や地層が優勢な地山であっても、掘削土の流動性を促進し、固着・固結を防止し得るトンネルの掘進方法を提供すること。【解決手段】  シールド機１によりトンネルを掘進するトンネルの掘進方法であって、シールド機１に形成されたチャンバ１６内に取り込まれる掘削土に、改質材と作泥土材や粘性低下材の混合物を添加し、前記掘削土と、改質材と作泥土材や粘性低下材の混合物とを練り混ぜ、これら掘削土と、改質材と作泥土材や粘性低下材の混合物とを練り混ぜることによって作成された泥土の圧力により切羽４２を抑えてトンネルを掘進して行くようにした。【選択図】    図１
2006336270.tif 000002
【特許請求の範囲】
【請求項１】
シールド機（１）によりトンネルを掘進するトンネルの掘進方法であって、
シールド機（１）に形成されたチャンバ（１６）内に取り込まれる掘削土に、改質材と作泥土材や粘性低下材の混合物を添加し、
前記掘削土と、改質材と作泥土材や粘性低下材の混合物とを練り混ぜ、
これら掘削土と、改質材と作泥土材や粘性低下材の混合物とを練り混ぜることによって作成された泥土の圧力により切羽（４２）を抑えてトンネルを掘進して行く、
ことを特徴とするトンネルの掘進方法。
【請求項２】
前記チャンバ（１６）内に、エアを単独または前記改質材と作泥土材や粘性低下材の混合物に混ぜて送り込むことを特徴とする請求項１記載のトンネルの掘進方法。
【請求項３】
シールド機（１）に設けられたカッタ（５）の前面と切羽面間に、エアと作泥土材の混合物を送り込むことを特徴とする請求項１または２記載のトンネルの掘進方法。
【請求項４】
シールド機（１）に配備された排土装置（１７）内に、エアを単独または前記改質材と作泥土材や粘性低下材の混合物に混ぜて送り込むことを特徴とする請求項１，２または３記載のトンネルの掘進方法。
【請求項５】
隔壁（３）に、チャンバ（１６）内に開口させて混合物吐出管（１８）を設け、
シールド筒（２）の内部または後方に、改質材と作泥土材や粘性低下材の混合物を送り込む混合物圧送ポンプユニット（２４）を設置し、
前記混合物吐出管（１８）と混合物圧送ポンプユニット（２４）とを混合物配管（２６）により接続した、
ことを特徴とするシールド機。
【請求項６】
前記隔壁（３）に、チャンバ（１６）内に開口させてエア吐出管（１９）を設け、
シールド筒（２）の内部または後方に、エアコンプレッサ（２７）を設置し、
前記エア吐出管（１９）とエアコンプレッサ（２７）とをエア配管（２９），（３１）により接続するとともに、チャンバ（１６）内にエアを単独または前記改質材と作泥土材や粘性低下材の混合物に混ぜて圧送可能に配管した、
ことを特徴とする請求項５記載のシールド機。
【請求項７】
少なくともカッタ（５）の前面に開孔させてエア・作泥土材吐出孔（２０ａ）を複数個設け、
カッタ回転軸（７）の後端部に、スイベルジョイント（２２）を装着し、
前記スイベルジョイント（２２）とエア・作泥土材吐出孔（２０ａ）とを、カッタ回転軸（７）およびカッタスポーク（９）の内部にわたって設けられたエア・作泥土材配管（２１）により接続し、
シールド筒（２）の内部または後方に、作泥土材圧送ポンプユニット（３３）を設置し、
前記エア・作泥土材配管（２１）を、スイベルジョイント（２２）を介して前記エアコンプレッサ（２７）および作泥土材圧送ポンプユニット（２４）に接続した、
ことを特徴とする請求項５または６記載のシールド機。
【請求項８】
排土装置（１７）に、エア・混合物吐出管（２３）を設け、
このエア・混合物吐出管（２３）に、排土装置（１７）内にエアを単独または前記改質材と作泥土材や粘性低下材の混合物に混ぜて圧送可能に配管した、
ことを特徴とする請求項５，６または７記載のシールド機。
【発明の詳細な説明】
【技術分野】
【０００１】
本発明は、粘着力の高い地質や地層が優勢な地山を掘進するために好適なトンネルの掘進方法と、この掘進方法を的確に実施するためのシールド機に関する。
【背景技術】
【０００２】
従来、泥土圧シールドではカッタにより地山を掘削し、その掘削土にベントナイトやＣＭＣ、高分子系添加材を加え、これらを練り混ぜて塑性流動化した泥土に変換し、この泥土をチャンバに充満させ、チャンバ内の泥土圧により切羽を抑えながら掘進するようにしている。
【０００３】
ところで、地山が固結粘土や固結シルトなど粘着力の高い土質では、添加材と掘削土とが混合されにくく、カッタやチャンバ内に固結することがあった。粘着力の高い掘削土がカッタやチャンバ内で固着・固結すると、掘進速度が低下し、掘削能率が悪くなる。
【０００４】
そこで、地山が粘着力の高い土質の場合、従来は掘削土に粘性低下材を添加し、掘削土と粘性低下材とを混ぜて流動性を向上させることが試みられている。
【０００５】
しかしながら、添加した粘性低下材の効果の発現が遅く、必ずしも効果的ではないという問題があった。
【０００６】
なお、この種トンネルの掘進技術に関する特許文献としては、次のようなものがある。
【特許文献１】特許第３１５０２９８号公報
【発明の開示】
【発明が解決しようとする課題】
【０００７】
本発明は、上記の事情に鑑みなされたもので、その目的とするところは、粘着力の高い地質や地層が優勢な地山であっても、粘性を低下させ、掘削土の流動性を促進し、固着・固結を防止し得るトンネルの掘進方法を提供することにある。
【０００８】
また、本発明の他の目的は、掘削土の固着・固結をより一層効果的に防止でき、しかもカッタの背面やチャンバの隅角部等に掘削土が固着・固結した場合には、これを除去することも可能なトンネルの掘進方法を提供することにある。
【０００９】
また、本発明の他の目的は、切羽をより一層安定的に抑えながら掘進し得るトンネルの掘進方法を提供することにある。
【００１０】
さらに、本発明の他の目的は、チャンバ内の掘削土を効率良く排出し得るトンネルの掘進方法を提供することにある。
【００１１】
さらにまた、本発明の他の目的は、本発明方法をそれぞれ的確に実施し得るシールド機を提供することにある。
【課題を解決するための手段】
【００１２】
前記目的を達成するため、本発明の請求項１記載の発明では、シールド機１によりトンネルを掘進するトンネルの掘進方法であって、シールド機１に形成されたチャンバ１６内に取り込まれる掘削土に、改質材と作泥土材や粘性低下材の混合物を添加し、前記掘削土と、改質材と作泥土材や粘性低下材の混合物とを練り混ぜ、これら掘削土と、改質材と作泥土材や粘性低下材の混合物とを練り混ぜることによって作成された泥土の圧力により切羽４２を抑えてトンネルを掘進して行くようにしている。
【００１３】
また、前記目的を達成するため、本発明の請求項２記載の発明では、前記チャンバ１６内に、エアを単独または前記改質材と作泥土材や粘性低下材の混合物に混ぜて送り込むようにしている。
【００１４】
また、前記目的を達成するため、本発明３記載の発明では、シールド機１に設けられたカッタ５の前面と切羽面間に、エアと作泥土材の混合物を送り込むようにしている。
【００１５】
また、前記目的を達成するため、本発明の請求項４記載の発明では、シールド機１に配備された排土装置１７内に、エアを単独または前記改質材と作泥土材や粘性低下材の混合物に混ぜて送り込むようにしている。
【００１６】
また、前記目的を達成するため、本発明の請求項５記載の発明では、隔壁３に、チャンバ１６内に開口させて混合物吐出管１８を設け、シールド筒２の内部または後方に、改質材と作泥土材や粘性低下材の混合物を送り込む混合物圧送ポンプユニット２４を設置し、前記混合物吐出管１８と混合物圧送ポンプユニット２４とを混合物配管２６により接続している。
【００１７】
また、前記目的を達成するため、本発明の請求項６記載の発明では、前記隔壁３に、チャンバ１６内に開口させてエア吐出管１９を設け、シールド筒２の内部または後方に、エアコンプレッサ２７を設置し、前記エア吐出管１９とエアコンプレッサ２７とをエア配管２９，３１により接続するとともに、チャンバ１６内にエアを単独または前記改質材と作泥土材や粘性低下材の混合物に混ぜて圧送可能に配管している。
【００１８】
さらに、前記目的を達成するため、本発明の請求項７記載の発明では、少なくともカッタ５の前面に開孔させてエア・作泥土材吐出孔２０ａを複数個設け、カッタ回転軸７の後端部に、スイベルジョイント２２を装着し、前記スイベルジョイント２２とエア・作泥土材吐出孔２０ａとを、カッタ回転軸７およびカッタスポーク９の内部にわたって設けられたエア・作泥土材配管２１により接続し、シールド筒２の内部または後方に、作泥土材圧送ポンプユニット３３を設置し、前記エア・作泥土材配管２１を、スイベルジョイント２２を介して前記エアコンプレッサ２７および作泥土材圧送ポンプユニット２４に接続している。
【００１９】
さらにまた、前記目的を達成するため、本発明の請求項８記載の発明では、排土装置１７に、エア・混合物吐出管２３を設け、このエア・混合物吐出管２３に、排土装置１７内にエアを単独または前記改質材と作泥土材や粘性低下材の混合物に混ぜて圧送可能に配管している。
【発明の効果】
【００２０】
本発明の請求項１記載の発明では、チャンバ１６内に溜められた掘削土に、改質材と作泥土材や粘性低下材の混合物を添加する。そして、前記掘削土と、改質材と作泥土材や粘性低下材の混合物とを練り混ぜるようにしている。したがって、改質材の粒子や細片の周囲に作泥土材や粘性低下材が付着し、これらの付着物によりチャンバ１６内の掘削土同士の密着性を低下、つまり粘性を低下させることができる。その結果、粘着力の高い土質や地層が優勢な地山であっても、掘削土の固着・固結を有効に防止し得る効果があり、ひいてはチャンバ１６内における流動性を持った泥土の圧力により切羽４２を安定的に抑えて、トンネルを能率良く掘進し得る効果がある。
【００２１】
また、本発明の請求項２記載の発明によれば、チャンバ１６内にエアを単独または改質材と作泥土材や粘性低下材の混合物に混ぜて送り込むようにしている。その結果、チャンバ１６内の掘削土にエアと、改質材と作泥土材や粘性低下材の混合物を添加し、練り混ぜた場合には、改質材と作泥土材や粘性低下材の混合物とエアとの相乗作用により、掘削土同士の密着性をより一層効果的に低下させることができるので、チャンバ１６内の掘削土の固着・固結をより一層的確に防止し得る効果がある。さらには、チャンバ１６内にエアを単独で吹き付けることによって、カッタ５の背面やチャンバ１６の隅角部等に固着・固結した掘削土を除去し得る効果もある。
【００２２】
また、本発明の請求項３記載の発明では、カッタ５の前面と切羽面間に、エアと作泥土材の混合物を送り込むようにしている。その結果、掘削土に直ちにエアと作泥土材の混合物を添加し、カッタビットで掻き混ぜることにより掘削土同士の固着・固結を防止し、流動性を持った泥土を作成することができる。したがって、かかる流動性を持った泥土の圧力により切羽４２をより一層安定的に抑えつつトンネルを掘進し得る効果がある。
【００２３】
また、本発明の請求項４記載の発明では、排土装置１７内にエアを単独または改質材と作泥土材や粘性低下材の混合物に混ぜて送り込むようにしている。その結果、排土装置１７内にエアを単独で送り込んだ場合には、そのエアの作用で排土装置１７内への掘削土の固着・固結を防止することができるし、排土装置１７内に改質材と作泥土材や粘性低下材の混合物にエアを混ぜて送り込んだ場合には、排土装置１７内の掘削土に摩擦抵抗を生じさせ、排土装置１７内における掘削土の供回り現象を防止することができる。したがって、いずれの場合にも効率良く排土し得る効果がある。
【００２４】
また、本発明の請求項５記載の発明によれば、隔壁３に、チャンバ１６内に開口させて混合物吐出管１８を設け、シールド筒２の内部または後方に、改質材と作泥土材や粘性低下材の混合物を送り込む混合物圧送ポンプユニット２４を設置し、前記混合物吐出管１８と混合物圧送ポンプユニット２４とを混合物配管２６により接続しているので、前記請求項１記載の掘進方法を的確に実施し得る効果がある。
【００２５】
また、本発明の請求項６記載の発明によれば、前記隔壁３に、チャンバ１６内に開口させてエア吐出管１９を設け、シールド筒２の内部または後方に、エアコンプレッサ２７を設置し、前記エア吐出管１９とエアコンプレッサ２７とをエア配管２９，３１により接続するとともに、チャンバ１６内にエアを単独または前記改質材と作泥土材や粘性低下材の混合物に混ぜて圧送可能に配管しているので、前記請求項２記載の掘進方法を的確に実施し得る効果がある。
【００２６】
さらに、本発明の請求項７記載の発明によれば、少なくともカッタ５の前面に開孔させてエア・作泥土材吐出孔２０ａを複数個設け、カッタ回転軸７の後端部に、スイベルジョイント２２を装着し、前記スイベルジョイント２２とエア・作泥土材吐出孔２０ａとを、カッタ回転軸７およびカッタスポーク９の内部にわたって設けられたエア・作泥土材配管２１により接続し、シールド筒２の内部または後方に、作泥土材圧送ポンプユニット３３を設置し、前記エア・作泥土材配管２１を、スイベルジョイント２２を介して前記エアコンプレッサ２７および作泥土材圧送ポンプユニット２４に接続しているので、前記請求項３記載の掘進方法を的確に実施し得る効果がある。
【００２７】
さらにまた、本発明の請求項８記載の発明によれば、排土装置１７に、エア・混合物吐出管２３を設け、このエア・混合物吐出管２３に、排土装置１７内にエアを単独または前記改質材と作泥土材や粘性低下材の混合物に混ぜて圧送可能に配管しているので、前記請求項４記載の掘進方法を的確に実施し得る効果がある。
【発明を実施するための最良の形態】
【００２８】
以下、本発明の実施例を図面に基づいて説明する。
【実施例】
【００２９】
図１は本発明にかかる掘進方法を実施するためのシールド機の系統図である。
【００３０】
この図１に示す実施例のシールド機１は、シールド筒２と、隔壁３と、フード４と、カッタ５と、カッタ駆動装置１３と、掘削土のチャンバ１６と、排土装置１７と、シールドジャッキ（図示省略）と、混合物吐出管１８と、エア吐出管１９と、エア・作泥土材吐出孔２０ａ，２０ｂと、スイベルジョイント２２と、混合物圧送ポンプユニット２４と、エアコンプレッサ２７と、作泥土材圧送ポンプユニット３３等を備えて構成されている。
【００３１】
前記カッタ５は、隔壁３に軸受６を介して回転自在に支持されたカッタ回転軸７と、このカッタ回転軸７の前端部にボス８を介して取り付けられたカッタスポーク９と、このカッタスポーク９の中央前面に設けられたフィッシュテールビット１０と、カッタスポーク９の前面に多数設けられたカッタビット１１と、カッタスポーク９の背面に取り付けられた複数本の攪拌翼１２とを有している。
【００３２】
前記カッタ駆動装置１３は、隔壁３の背面に固定されたギヤボックス１４と、これに取り付けられた電動モータの如き回転駆動源１５と、ギヤボックス１４の内部に設けられかつ回転駆動源１５の回転を減速してカッタ回転軸７に伝達する減速歯車（図示省略）とを有している。
【００３３】
前記チャンバ１６は、隔壁３と、フード４と、カッタスポーク９に囲まれた空間に形成されている。
【００３４】
排土装置１７には、この実施例ではスクリューコンベアを用いている。
【００３５】
シールドジャッキは、シールド筒２の内部に互いに所定の間隔をおいて複数基設置されている。そして、このシールドジャッキは最前列のセグメント４３に反力を取ってシールド機１を推進させるようになっている。
【００３６】
前記混合物吐出管１８と、エア吐出管１９の先端部は、それぞれチャンバ１６に開口させて隔壁３に取り付けられている。
【００３７】
前記エア・作泥土材吐出孔２０ａ，２０ｂのうちの、一方のエア・作泥土材吐出孔２０ａはカッタスポーク９の内部からカッタ５の前面、すなわち切羽４２側に開孔させて複数個設けられている。他方のエア・作泥土材吐出孔２０ｂは、カッタスポーク９の内部からカッタ５の背面、すなわちチャンバ１６に向って開孔させて複数個設けられている。なお、カッタ５の側面にも開孔させても良い。
【００３８】
スイベルジョイント２２は、カッタ回転軸７の後端部に装着されている。
【００３９】
各エア・作泥土材吐出孔２０ａ，２０ｂとスイベルジョイント２２とは、カッタ回転軸７、ボス８を通ってカッタスポーク９の内部に設けられたエア・作泥土材配管２１により接続されている。
【００４０】
前記排土装置１７のケーシングの前端部側には、エア・混合物吐出管２３が設けられている。
【００４１】
前記混合物圧送ポンプユニット２４とエアコンプレッサ２７と作泥土材圧送ポンプユニット３３とは、図示実施例ではシールド筒２の後方に設置しているが、シールド筒２の内部に設置しても良い。
【００４２】
前記混合物吐出管１８は、混合物圧送ポンプユニット２４に分配器２５および混合物配管２６を介して接続されている。
【００４３】
前記エア吐出管１９は、エアコンプレッサ２７に分配器２８、エア配管２９、分配器３０およびエア配管３１を介して接続されている。
【００４４】
また、図示実施例では前記分配器３０からエア配管３２を介して混合物吐出管１８にエアを送り込み得るように配管しているが、同分配器３０から混合物配管２６にエアを送り込むようにしても良い。
【００４５】
前記スイベルジョイント２２は、作泥土材配管３４を介して作泥土材圧送ポンプユニット３３に接続されている。また、スイベルジョイント２２は分配器２８、エア配管３５、分配器３６，３７およびエア配管３８を介してエアコンプレッサ２７に接続されている。
【００４６】
さらに、スイベルジョイント２２と作泥土材圧送ポンプ３３とを結ぶ作泥土材配管３４の途中には、分配器２８、エア配管３５、分配器３６，３７およびエア配管３９を介してエアコンプレッサ２７が接続されている。
【００４７】
前記排土装置１７に設けられたエア・混合物吐出管２３は、分配器２８、エア配管３５、分配器３６およびエア配管４０を介してエアコンプレッサ２７に接続されている。
【００４８】
前記エア配管４０の途中には、分配器２５および混合物配管４１を介して混合物圧送ポンプユニット２４が接続されている。
【００４９】
前記シールド筒２の後端部には、セグメント４３の外周面に接するテールシール４４が取り付けられている。
【００５０】
なお、前記隔壁３にはチャンバ１６に臨ませて土圧計（図示省略）が設けられている。
【００５１】
次に、前記シールド機１の作用に関連して本発明掘進方法の一例を説明する。
【００５２】
まず、混合物圧送ポンプユニット２４のタンクに、改質材と作泥土材や粘性低下材等を投入しておく。
【００５３】
改質材としては、例えば細砂、シラス、パーライト、軽量骨材、発砲ウレタンビーズやその細片、植物細片、繊維、もみがら、ウッドチップ、おがくず、ゼオライト、かき殻等を単独または複数種を混ぜ合わせて使用する。
【００５４】
作泥土材としては、固結粘土や土丹などに対しては薄いベントナイト溶液、高分子系作泥土材の水溶液等を用いれば良い。
【００５５】
または、粘性低下材を用いても良い。粘性低下材としては、ベントナイト、ＣＭＣ、高分子系添加材等が挙げられる。また、気泡材とベントナイト溶液などの混合液でも良い。
【００５６】
前記改質材と作泥土材や粘性低下材の混合物は、作泥土材や粘性低下材の溶液に改質材を混ぜ、流動性を持たせて使用する。
【００５７】
また、作泥土材圧送ポンプユニット３３のタンクには、作泥土材を投入しておく。
【００５８】
切羽４２を掘削するに当たっては、カッタ駆動装置１３を駆動させ、カッタ回転軸７を介してカッタ５全体を回転させ、カッタビット１１により切羽４２を掘削する。
【００５９】
かかる切羽４２の掘削開始と同時に、シールド筒２の後方に設置された固定部材または予め組み立てておいたセグメント４３に反力を取ってシールドジャッキを伸長させ、シールド機１全体に推力を与え、掘進して行く。
【００６０】
このとき、切羽４２の掘削土をチャンバ１６に取り込む。そして、チャンバ１６内に取り込んだ掘削土に、混合物圧送ポンプユニット２４から分配器２５、混合物配管２６および混合物吐出管１８を通じて、改質材と作泥土材や粘性低下材の混合物を添加する。
【００６１】
また、同チャンバ１６内の掘削土に、エアコンプレッサ２７から分配器２８、エア配管２９、分配器３０、エア配管３１およびエア吐出管１９を通じてエアを送り込むとともに、必要により前記分配器３０およびエア配管３２を通じて、前記混合物吐出管１８にもエアを送り込み、チャンバ１６内の掘削土に、改質材と作泥土材や粘性低下材の混合物にエアを混ぜて送り込む。
【００６２】
さらに、同チャンバ１６内の掘削土に、作泥土材圧送ポンプユニット３３から作泥土材配管３４、スイベルジョイント２２に作泥土材を送り込むとともに、前記エアコンプレッサ２７から分配器２８、エア配管３５、分配器３６，３７、エア配管３９を通じて作泥土材配管３４にエアを送り込む。そして、スイベルジョイント２２、エア・作泥土材配管２１および各エア・作泥土材吐出孔２０ａを通じて、カッタ５の前面と切羽面間の空隙内にエアと作泥土材の混合物を送り込む。さらには、エア・作泥土材配管２１およびエア・作泥土材吐出孔２０ｂを通じて、チャンバ１６内の掘削土に、エアと作泥土材の混合物を送り込む。
【００６３】
そして、チャンバ１６内の掘削土と、混合物吐出管１８からチャンバ１６内に送り込まれた改質材と作泥土材や粘性低下材とエアの混合物と、エア吐出管１９からチャンバ１６内に送り込まれたエアと、エア・作泥土材吐出孔２０ｂからチャンバ１６内に送り込まれたエアと作泥土材の混合物とを、カッタスポーク９の背面に取り付けられた複数本の攪拌翼１２と、前記エアの持つ攪拌作用とにより練り混ぜる。これにより、チャンバ１６内に取り込まれた掘削土が、たとえ固結粘土や固結シルト等の粘着力の高い土質であっても、改質材の周囲に作泥土材や粘性低下材が付着し、さらには改質材の周りにエアが介在するため、チャンバ１６内の掘削土同士の密着性を効果的に低下させることができるので、また、混入されたエアも介在するので、チャンバ１６内の掘削土の固着・固結を的確に防止することができる。カッタスポーク９やフード４の隅角部に掘削土が固着するのも防ぐことができる。その結果、粘着力の高い土質や地層が優勢な地山であっても、その掘削土を塑性流動性を持った泥土に変換し、チャンバ１６内における塑性流動性を持った泥土の圧力により、切羽４２を安定的に抑えることができる。
【００６４】
さらには、切羽４２の掘削土と、カッタ５の前面と切羽面間に送り込まれたエアと作泥土材の混合物とを、多数のカッタビット１１により掻き混ぜる。これにより、前記カッタ５の前面と切羽面間に溜められた掘削土をも塑性流動化した泥土に変換することができ、かかる泥土の圧力により切羽４２を安定的に抑えることができる。
【００６５】
前述のごとく、塑性流動化された泥土の持つ圧力により切羽４２を安定的に抑えることができるので、掘削能率の向上を図ることができる。
【００６６】
そして、切羽４２を所定の範囲掘削した後、土圧計によりチャンバ１６内の土圧を監視しつつ、シールドジャッキによりシールド機１全体を推進させる。
【００６７】
ついで、シールド機１を所定距離、推進させた後、シールドジャッキを縮小させ、シールド筒２の後方でセグメント４３を組み立てる。
【００６８】
チャンバ１６内を所定の土圧に維持しつつ、掘進に伴って排土装置１７によりチャンバ１６内の掘削土を取り込み、その掘削土をシールド筒２の後方に搬出する。
【００６９】
一般に、排土装置内に掘削土が固着・固結すると、排土能率が低下する。また、排土装置内で掘削土が供回りした場合も、排土効率が低下する。
【００７０】
そこで、この実施例では排土装置１７のケーシングの前端部側に設けられたエア・混合物吐出管２３を通じて、エアを単独または改質材と作泥土材や粘性低下材の混合物に混ぜて送り込むようにしている。
【００７１】
前述のごとく、排土装置１７内にエアを送り込むことによって、排土装置１７内への掘削土の固着・固結を防止し、排土能率を向上させることができる。また、排土装置１７内に改質材と作泥土材や粘性低下材の混合物に、エアを混ぜて送り込むことによって、特に改質材の機能により排土装置１７内の掘削土に、排土装置１７のケーシング内部に対する摩擦力を持たせ、この摩擦力により摩擦抵抗を生じさせ、これにより排土装置１７内における供回り現象を防止し、排土効率の向上を図ることができる。
【００７２】
ところで、カッタ５の背面やチャンバ１６内の隅角部等に掘削土が固着・固結すると、掘進効率が低下する。
【００７３】
そこで、この実施例では隔壁３に設けられたエア吐出管１８およびカッタ５の背面に設けられたエア・作泥土材吐出孔２０ｂを通じてエアを吹き付けるようにしている。これにより、前記カッタ５の背面やチャンバ１６内の隅角部等に固着・固結した掘削土を除去することができる。その結果、掘進効率の向上を図ることができる。
【図面の簡単な説明】
【００７４】
【図１】本発明の掘進方法を実施するためのシールド機の一例を示すもので、一部を断面で示した系統図である。
【符号の説明】
【００７５】
１  シールド機
２  シールド筒
３  隔壁
４  フード
５  カッタ
７  カッタ回転軸
９  カッタスポーク
１１  カッタビット
１２  攪拌翼
１３  カッタ駆動装置
１６  チャンバ
１７  排土装置
１８  混合物吐出管
１９  エア吐出管
２０ａ，２０ｂ  エア・作泥土材吐出孔
２１  エア・作泥土材配管
２２  スイベルジョイント
２３  エア・混合物吐出管
２４  混合物圧送ポンプユニット
２６  混合物配管
２７  エアコンプレッサ
２９  エア配管
３１，３２  エア配管
３３  作泥土材圧送ポンプユニット
３４  作泥土材配管
３５  エア配管
３８，３９，４０  エア配管
４１  混合物配管
４２  切羽
４３  セグメント
【図１】
2006336270.tif 000003